(57)【要約】【課題】二次元的に可動である撮像素子を備えた撮像装置において、撮像素子接続用ＦＰＣの導出部の占有スペースが少なく、装置のコンパクト化が可能な装置を提供する。【解決手段】撮像光学系を有する鏡枠ユニット２０と、二次元的（ＸＹ平面上）に変位することによりブレを補正する撮像ユニット８８と、撮像ユニット８８に配置された撮像素子と接続され、鏡枠ユニット２０の外表面上を延出する延出部６５ａと、該延出部の端部で折り曲げられて延出するとともに鏡枠ユニット２０の外表面上で固定される延出部６５ｂとを有する撮像素子接続用ＦＰＣ６５と、延出部６５ａを鏡枠ユニット２０の外表面上でガイドするＦＰＣガイド板６６とを具備し、撮像ユニット８８がＸ方向へ移動する際には、上記折曲げ部が撓んでＸ方向への移動量を吸収し、Ｙ方向へ移動する際には、延出部６５ａが撓んでＹ方向への移動量を吸収する。【選択図】図１８
2010177964.tif 000002
【特許請求の範囲】
【請求項１】
撮像光学系を有する鏡枠ユニットと、
上記撮像光学系からの光束を電気信号に変換する撮像素子を有し、当該撮像光学系の光軸と直交する面上を二次元的に変位することによりブレを補正する移動ユニットと、
上記移動ユニットに配置された上記撮像素子と接続されていて、上記鏡枠ユニットの第１の外表面上を上記撮影光軸に沿って延出する第１の延出部と、当該第１の延出部の端部で上記撮影光軸と直交する方向に折り曲げられて第２の外表面上へ延出するとともに当該第２の外表面上で固定される第２の延出部と、を有するフレキシブルプリント基板と、
上記フレキシブルプリント基板の上記第１の延出部を上記鏡枠ユニットの第１の外表面上でガイドするガイド部材と、
を具備し、上記移動ユニットが第１の方向へ移動する際には、上記第１の延出部と上記第２の延出部との境界部である折曲げ部で当該第１の方向への移動量を吸収するように撓み、
上記移動ユニットが上記第１の方向と垂直な第２の方向へ移動する際には、上記ガイド部材と当該移動ユニットとの間で当該第１の延出部が撓んで上記第２の方向への移動量を吸収することを特徴とする撮像装置。
【請求項２】
上記折曲げ部には、上記第一の延出部と上記第二の延出部との折り曲げによる交線が形成されており、当該交線付近で撓むことを特徴とする請求項１記載の撮像装置。
【請求項３】
上記移動ユニットが上記第一の方向または上記第二の方向へ移動する際の各移動量は、各方向の最大ブレ補正量より大きいことを特徴とする請求項１記載の撮像装置。
【請求項４】
撮像光学系を有する鏡枠ユニットと、
上記撮像光学系からの光束を電気信号に変換する撮像素子を有し、当該撮像光学系の光軸と直交する面上をＸ方向又は当該Ｘ方向と垂直なＹ方向へ変位することによりブレを補正する移動ユニットと、
上記移動ユニットに配置された上記撮像素子に接続（実装）されていて上記鏡枠ユニットの外表面上を上記撮影光軸に沿って延出する第一の延出部と、当該第一の延出部の端部で上記撮影光軸と直交する方向に折り曲げられて延出する第二の延出部と、を有するフレキシブルプリント基板と、
上記フレキシブルプリント基板を上記鏡枠ユニットの外表面に沿ってガイドするガイド部材と、
を具備し、
上記移動ユニットが上記Ｘ方向に移動する際には、上記第一の延出部と上記第二の延出部との折り曲げによる交線は上記鏡枠ユニットの外表面に沿ってＸ方向へ移動して当該第二の延出部が交線付近で撓み、
上記移動ユニットが上記Ｙ方向に移動する際には、上記ガイド部材と当該移動ユニットとの間で当該第一の延出部が撓み、
上記フレキシブルプリント基板が上記移動ユニットとともにシフト移動する際の当該フレキシブルプリント基板の抵抗力を極力小さくするようにしたことを特徴とする撮像装置。
【発明の詳細な説明】
【技術分野】
【０００１】
本発明は、二次元的に可動である撮像素子を備えた撮像装置に関する。
【背景技術】
【０００２】
従来のブレ補正機能を有する撮像装置において、撮像素子を備えた撮像ユニットは、撮像光学系の光軸に直交する平面上をシフト移動可能な状態で鏡枠内に組み込まれている。上記撮像素子は撮像素子接続用フレキシブル回路基板（以下、接続ＦＰＣと記載する）に実装された状態で撮像ユニットに配されている。従って、上記接続ＦＰＣは、上記撮影ユニットの上記平面上の移動時に抵抗力を生じることなく、上記シフト移動を可能とするための屈曲変形する状態で支持される必要がある。
【０００３】
図１９は、特許文献１に開示されたブレ補正機能を有するデジタル撮像装置に組み込まれる鏡枠装置１０１を撮影光軸Ｏ方向から見た模式的平面図であり、図２０は、上記鏡枠装置の模式的側面図である。
【０００４】
上記従来の鏡枠装置１０１には、固定枠１０２と、撮像ユニットとして固定枠１０２に対してＹ方向にスライド移動可能に支持される第一の移動枠１０３、第一の移動枠３に対して相対的にＸ方向にスライド移動可能に支持される第二の移動枠１０４、該第二の移動枠１０４上にＣＣＤ接続ＦＰＣ（フレキシブルプリント基板）１１３に実装された撮像素子であるＣＣＤ１０５とが備えられ、さらに、ＣＣＤ１０５の光軸Ｏ方向前方に撮影光学系１１５が配されている。
【０００５】
この従来の鏡枠装置１０１は、ブレ補正のためにＣＣＤ１０５を保持する第二の移動枠１０４が光軸Ｏと直交するＸＹ平面上をシフト移動可能に支持されている。ＣＣＤ１０５が実装されるＣＣＤ接続ＦＰＣ１１３は、鏡枠装置１０１から外部に導出され、撮像装置であるカメラの制御部（図示せず）にコネクタ接続される。従って、鏡枠装置１０１の屈曲可能な状態で外部に導出するために第二移動枠１０４から導出されるＣＣＤ接続ＦＰＣ１１３の延出部１１３ａに折り返し屈曲１１３ｂが設けられる。この折り返し屈曲部１１３ｂには、二箇所のＵ字状折り返し部が形成されており、該屈曲部１１３ｂがねじれを含む状態で変形することにより第二の移動枠１０４のＸＹ平面上のシフト移動が上記ＦＰＣの抵抗を受けることなく行われる。
【発明の概要】
【発明が解決しようとする課題】
【０００６】
ところが、上述した従来の撮像装置の鏡枠装置１０１においては、ＣＣＤ接続用ＦＰＣ１１３の延出部１１３ａに屈曲部１１３ｂを配置するスペースが必要である。従って、該スペースの分だけ鏡枠装置１０１の外形寸法が大きくなり、撮像装置のコンパクト化に対して不利となる。
【０００７】
本発明は、上述の不具合を解決するためになされたものであり、二次元的に可動に配置された撮像素子を備えた撮像装置において、撮影ユニットの平面に上記撮像素子接続用ＦＰＣを少スペースで配置でき、当該撮像素子接続用ＦＰＣが当該撮影ユニット平面上をシフト移動する際の抵抗力を極力小さくすることができるコンパクトな撮像装置を提供することを目的とする。
【課題を解決するための手段】
【０００８】
上記課題を解決するために本発明の撮像装置は、撮像光学系を有する鏡枠ユニットと、上記撮像光学系からの光束を電気信号に変換する撮像素子を有し、当該撮像光学系の光軸と直交する面上を二次元的に変位することによりブレを補正する移動ユニットと、上記移動ユニットに配置された上記撮像素子と接続されていて、上記鏡枠ユニットの第一の外表面上を上記撮影光軸に沿って延出する第一の延出部と、当該第一の延出部の端部で上記撮影光軸と直交する方向に折り曲げられて第二の外表面上へ延出するとともに当該第二の外表面上で固定される第二の延出部と、を有するフレキシブルプリント基板と、上記フレキシブルプリント基板の上記第一の延出部を上記鏡枠ユニットの第一の外表面上でガイドするガイド部材とを具備し、上記移動ユニットが第一の方向へ移動する際には、上記第一の延出部と上記第二の延出部との境界部である折曲げ部で当該第一の方向への移動量を吸収するように撓み、上記移動ユニットが上記第一の方向と垂直な第二の方向へ移動する際には、上記ガイド部材と当該移動ユニットとの間で当該第一の延出部が撓んで上記第二の方向への移動量を吸収する。
【発明の効果】
【０００９】
本発明は、二次元的に可動に配置された撮像素子を備えた撮像装置において、撮影ユニットの平面に上記撮像素子接続用ＦＰＣを少スペースで配置でき、当該撮像素子接続用ＦＰＣが当該撮影ユニット平面上をシフト移動する際の抵抗力を極力小さくすることができる撮像装置を提供することができる。
【図面の簡単な説明】
【００１０】
【図１】本発明の一実施形態である撮像装置としてのデジタルカメラの外観を前面側からみた斜視図である。
【図２】図１のデジタルカメラの外観を背面側からみた斜視図である。
【図３】図１のデジタルカメラの後カバーを外し、内部配置を示した背面図である。
【図４】図３のデジタルカメラにて、前カバーと鏡枠ユニットと緩衝ユニットとを分解した状態を示した斜視図である。
【図５】図４の鏡枠ユニットを前面側下方からみた斜視図である。
【図６】図５のVI−VI断面図であって、図５の鏡枠ユニットの光軸に沿った断面を示す。
【図７】図４の鏡枠ユニットを背面側からみた斜視図であって、背面カバー板を外した状態を示している。
【図８】図７の鏡枠ユニットの分解斜視図であって、第二、三群枠まわりを分解した状態を示す。
【図９】図７の鏡枠ユニットの分解斜視図であって、第四群枠まわりを分解した状態を示す。
【図１０】図７の鏡枠ユニットの分解斜視図のうち、撮像ユニットおよびＣＣＤ枠駆動部まわりを分解した状態を示す。
【図１１】図７の鏡枠ユニットの分解斜視図のうち、撮像ユニットのＣＣＤまわりを分解した状態を示す。
【図１２】図１０の撮像ユニットを背面側から見た分解斜視図である。
【図１３】図７の鏡枠ユニットの鏡枠本体における撮像ユニットおよびＣＣＤ枠駆動部取り付け部の詳細を示す分解斜視図である。
【図１４】図７の鏡枠ユニットの分解斜視図のうち、ＣＣＤ枠駆動部のＸ駆動モータまわりを分解した状態を示す。
【図１５】図７の鏡枠ユニットの分解斜視図のうち、Ｘ用ＣＣＤ枠駆動部まわりを分解した状態を示す。
【図１６】図７の鏡枠ユニットの分解斜視図のうち、Ｙ用ＣＣＤ枠駆動部およびＹ駆動モータまわりを分解した状態を示す。
【図１７】図６の鏡枠ユニットの断面図のうち、下方側のＣＤＤまわりを拡大して示した断面図である。
【図１８】図５のXVIII−XVIII断面図であって、ＣＣＤ接続フレキシブル基板の屈曲部まわりを示す斜視図である。
【図１９】従来の撮像装置における鏡枠装置を光軸方向から見た模式的平面図である。
【図２０】図１９の従来の撮像装置における鏡枠装置の模式的側面図である。
【発明を実施するための形態】
【００１１】
以下、本発明の実施の形態を図に基づいて説明する。
【００１２】
本発明の一実施形態の撮像装置であるデジタルカメラ１は、被写体像を撮像するための折り曲げ光学系を備えた鏡枠ユニット２０を内蔵し、撮像手段である撮像素子を手ブレに応じて移動させる手ブレ補正機能を有するコンパクトタイプのデジタルカメラであり、さらに、落下等の衝撃から鏡枠を保護する緩衝構造が適用されている。
【００１３】
上記折り曲げ光学系は、第一の光軸（以下、光軸Ｏ１とする）に沿って入射してきた被写体光束を光軸Ｏ１と直交する第二の光軸（以下、光軸Ｏ２とする）方向に折り曲げ、光軸Ｏ２上に配置される撮像素子の受光面に光学像を結像するように構成された撮像光学系である。
【００１４】
なお、以下の説明において、デジタルカメラ１にて光軸Ｏ１方向の被写体側を前方側とする。また、光軸Ｏ２と平行な方向をＺ方向とする。光軸Ｏ２に対して直交する面に沿った方向であって、光軸Ｏ１の方向と平行な方向を第二の方向であるＹ方向とし、Ｙ方向に直交する方向を第一の方向であるＸ方向とする。Ｘ方向の左右は、特に指定しない限り背面側からみた左右で示す。
【００１５】
本実施形態のデジタルカメラ１は、図１〜４に示すように箱形状の外装体として、互いに対向した状態で結合される前カバー２および後カバー３と、前カバー２，後カバー３内に収容される鏡枠ユニット２０と、カメラ制御基板１８とからなる。
【００１６】
前カバー２には前面部に撮影開口窓部２ｄ、閃光発光装置の発光用窓２ｅ等が配され、上面部に電源スイッチ釦１５およびレリーズ釦１４が配されている。
【００１７】
後カバー３には背面部に撮影モード設定等の操作スイッチ釦群１３と、ＬＣＤモニタ１６が配されている。
【００１８】
カメラ制御基板１８は、カメラの全制御を司るＣＰＵ、撮影モード制御部、ストロボ発光制御部、撮像素子による撮影画像データの処理を行う画像処理部、カメラ挿入された画像記録媒体であるメモリカードに撮影画像データを書き込む記録制御部、手ブレ検出センサ等が実装されたプリント基板からなり、前カバー２の内部右側に組み込まれる。
【００１９】
鏡枠ユニット２０は、扁平な外形形状をもつ鏡枠としての鏡枠本体４と、該鏡枠本体４内に組み込まれる撮像のための折り曲げ光学系と、鏡枠本体４のＺ方向の下部に配されるブレ補正装置として、撮像素子であるＣＣＤ９６を組み込んだ撮像ユニット８８およびＣＣＤ駆動機構部７１と備えている。
【００２０】
鏡枠本体４内に組み込まれる上記折り曲げ光学系は、第一群レンズ系として光軸Ｏ１上に配される第一群レンズ（前）３５ａ、および、被写体光束を光軸Ｏ２に向けて屈折するプリズム３５ｂ、さらに、プリズム３５ｂの下部に配される第一群レンズ（後）３５ｂと、光軸Ｏ２に沿って配され、ズームレンズを構成する第二群レンズ３６および第三群レンズ３８と、第二群レンズ３６と第三群レンズ３８の間に配されるシャッタ／絞り３７と、フォーカスレンズを構成する第四群レンズ３９からなる（図６）。
【００２１】
上記各レンズ群を保持するレンズ枠部材として光軸Ｏ１上に配され、第一群レンズ３５ａ、３５ｃ、プリズム３５ｂを保持する第一群枠３１と、光軸Ｏ２上に配され、第二群レンズ３６を保持する第二群枠３２と、第三群レンズ３８を保持する第三群枠３３と、第四群レンズ３９を保持する第四群枠３４とが配されている。また、シャッタ／絞り３７は、鏡枠本体４の絞り開口部にて開閉可能な状態で支持されている（図６）。
【００２２】
上記折り曲げ光学系が組み込まれた鏡枠ユニット２０は、鏡枠本体４の前面側にて緩衝ユニット２１を介在した状態で前カバー２の収納部２ｓに装着される（図４，５）。
【００２３】
緩衝ユニット２１は、薄板状部材２２，２３と、薄板状部材２２，２３の間に接着、挟持されるゴム部材等からなる衝撃吸収部材２４と、薄板状部材２３の前面に接着固定され、スポンジ等からなる弾性シート２５とで構成される。
【００２４】
薄板状部材２２は、鏡枠本体４の前面に固着される。薄板状部材２３は、鏡枠本体４が前カバー２の収納部２ｓに収納されたとき、弾性シート２５を圧縮した状態で収納面に当接してに位置決め固定される。
【００２５】
鏡枠ユニット２０が収納されたデジタルカメラ１が特に光軸Ｏ２方向の衝撃力を受けた場合、緩衝ユニット２１の衝撃吸収部材２４の剪断弾性変形により上記衝撃力が吸収され、鏡枠ユニット２０内に組み込まれた構成部材、特に第二、三、四群枠３２，３３，３４が保護される。
【００２６】
また、弾性シート２５を適用することにより鏡枠本体４の前カバー２に対するがたつきがなくなり、より正しい手ブレ補正動作が行われる。
【００２７】
上述した鏡枠ユニット２０の折り曲げ光学系を保持するレンズ枠部の詳細について、図７〜９を用いて説明する。
【００２８】
図７は、図４の鏡枠ユニットを背面側からみた斜視図であって、背面カバー板を外した状態を示している。図８は、図７の鏡枠ユニットの分解斜視図であって、第二、三群枠まわりを分解した状態を示す。図９は、図７の鏡枠ユニットの分解斜視図であって、第四群枠まわりを分解した状態を示す。
【００２９】
鏡枠としての鏡枠本体４の背面側には、図７に示すように該本体内部を遮蔽するための背面カバー板２９が取り付けられている。この背面カバー板２９は、鏡枠本体４の係止突起に係止穴２９ａ，２９ｂを係止することによって鏡枠本体４に固着される。
【００３０】
第一群枠３１は、図７に示すように鏡枠本体４の上部にビスにより固着されている。
【００３１】
第二群枠３２および第三群枠３３は、図８に示すようにそれぞれの軸受ケ部３２ａ，３３ａをガイド軸４１に摺動可能に嵌入させた状態で鏡枠本体４に支持される。ガイド軸４１は、鏡枠本体４の右方のＺ方向に沿った軸穴４ａ，４ｂに嵌入し、固着される。第二群枠３２は、鏡枠本体４のＺ方向ガイド部４ｔによってガイド軸まわりの回転が規制され、第三群枠３３は、鏡枠本体４のＺ方向ガイド部４ｕによってガイド軸まわりの回転が規制されている。そして、第二群枠３２と第三群枠３３には引張バネ４３が懸架されており、互いに接近する方向に付勢されている。
【００３２】
また、第二群枠３２および第三群枠３３のそれぞれの軸穴近傍に突出して設けられた従動爪３２ｂ，３３ｂは、ズームカム５７に係合当接している。
【００３３】
なお、ズームカム５７は、鏡枠本体４の右方にＺ方向に沿って配され、直流モータからなるズームモータ５２によりズーム駆動機構部５１を介して回転駆動される。
【００３４】
スムーズ駆動時にズームモータ５２が回転駆動されると、ズームカム５７が回転し、第二群枠３２および第三群枠３３が光軸Ｏ２に沿って進退駆動され、それぞれのズーミング位置に移動する。
【００３５】
カム支持軸４２は、ズームカム５７と不図示のギヤ列に連結されていて、ズームカム５７の回転により回転駆動される。カム支持軸４２の上端部には、第一群レンズ３５ａの前面部を開閉するバリア（図示せず）を駆動するためのバリア駆動機構部６３（図４）が嵌入する。
【００３６】
シャッタ／絞り３７は、前述したように第二群枠３２と第三群枠３３の間に位置しており、鏡枠本体の上部左側に配されるシャッタ／絞り駆動アクチュエータ（図示せず）により開閉駆動される。
【００３７】
第四群枠３４は、図９に示すように軸受ケ部３４ａをガイド軸４５に摺動可能に嵌入させた状態で支持される。ガイド軸４５は、鏡枠本体４の左側のＺ方向に沿った軸穴４ｃ，４ｄに嵌入し、固着される。第四群枠３４には引張バネ４８が懸架されており、Ｚ方向上方に付勢されて支持される。
【００３８】
また、ガイド軸４５の近傍には、ステッピングモータからなるフォーカスモータ４９が配されており、フォーカスモータ４９の出力軸にはＺ方向に沿った送りネジ軸４６が固着されている。送りネジ軸４６にはナット４７が螺合している。ナット４７は、送りネジ軸４６を跨いだ状態の第四群枠３４のＵ字状部３４ｃの上面側に当接し、さらに、ナット４７の突起４７ａが第四群枠３４の切り欠き部３４ｂに係合しているので、ナット４７は、回転が規制された状態で第四群枠３４を引張バネ４８の付勢力に抗した状態でＺ方向に移動可能に支持される。
【００３９】
従って、フォーカシング駆動時にフォーカスモータ４９が回転駆動されると、送りネジ軸４６の回転に伴って第四群枠３４が光軸Ｏ２に沿って進退駆動され、フォーカシング位置に移動する。
【００４０】
なお、第四群枠３４は、電源オフ時に光軸Ｏ２方向下方の撮像ユニット８８側に向けて駆動され、撮像ユニット８８のＣＣＤ枠９１の開口部に極接近した位置に移動する。電源オンにともなって上方に向けて駆動され、撮像ユニット８８から離間したフォーカス位置に移動する。
【００４１】
次に、鏡枠ユニット２０の下部位置に組み付けられるブレ補正装置を構成する撮像ユニットおよびＣＣＤ駆動機構部について、図１０〜１６を用いて説明する。
【００４２】
図１０は、図７の鏡枠ユニットの分解斜視図であって、撮像ユニットおよびＣＣＤ枠駆動部まわりを分解した状態を示す。図１１は、図７の鏡枠ユニットの分解斜視図であって、撮像ユニットのＣＣＤまわりを分解した状態を示す。
【００４３】
図１２は、図１０の撮像ユニットを背面側から見た分解斜視図である。図１３は、図７の鏡枠ユニットの鏡枠本体における撮像ユニットおよびＣＣＤ枠駆動部取り付け部の詳細を示す斜視図である。図１４は、図７の鏡枠ユニットの分解斜視図のうち、ＣＣＤ枠駆動部のＸ駆動モータまわりを分解した状態を示す。図１５は、図７の鏡枠ユニットの分解斜視図のうち、ＣＣＤ枠駆動部（Ｘ用）まわりを分解した状態を示す。図１６は、図７の鏡枠ユニットの分解斜視図のうち、ＣＣＤ枠駆動部（Ｙ用）およびＹ駆動モータまわりを分解した状態を示す。
【００４４】
ブレ補正装置を構成する撮像ユニット８８と、撮像ユニット８８を変位駆動するためのＣＣＤ枠駆動部７１とは、鏡枠本体４の下部であって、上記折り曲げ光学系の下方に配される。
【００４５】
撮像ユニット８８は、図１０，１１に示すように鏡枠本体４に対してＸガイド軸８６を介してＸ方向に変位可能なＸスライダ８９と、Ｘスライダ８９に対してＹガイド軸９２を介して連結され、相対的にＹ方向にも変位可能なＣＣＤ枠９１と、ＣＣＤ枠９１の下側に固着されるＣＣＤ支持板９７と、ＣＣＤ支持板９７に保持される押さえ板９５ａ，絞り板９５ｂ，光学ＬＰＦ９５ｃ，ゴム枠９５ｄ，ＣＣＤ９６と、ＣＣＤ９６が実装されるＣＣＤ接続ＦＰＣ６５と、フレキ押さえ板９８とをからなる。
【００４６】
また、撮像ユニット８８のＸスライダ８９およびＣＣＤ枠９１を駆動するためのＣＣＤ枠駆動部７１は、図１０，１１に示すように鏡枠本体４の右下方部に配され、Ｘ駆動モータ７２とギヤ部と送リネジを含むＸ駆動機構部と、Ｙ駆動モータ７９とギヤ部と送リネジを含むＹ駆動機構部とからなる。
【００４７】
ＣＣＤ枠９１は、光軸Ｏ２上の中央開口部９１ａを有し、該開口部に絞り板９５ｂ，光学ＬＰＦ９５ｃ，ＣＣＤ９６等が組み付けられる枠部材であり、鏡枠本体４の下面部４ｑに沿ってＸＹ平面上を摺動変位可能な状態で装着される。さらに、ＣＣＤ枠９１の中央開口部９１ａを囲む凹部９１ｂの上面部には、四角枠状の粘着テープ９９が貼付されている（図１０）。
【００４８】
この粘着テープ９９は、ＣＣＤ枠への貼付状態で上面が粘着性を有しており、鏡枠本体４の内部で発生した塵埃をＣＣＤ９６の受光面９６ａ側である光学ＬＰＦ９５ｃ上面に付着する前に捕捉するための粘着部材である。
【００４９】
ＣＣＤ支持板９７には、その上面部中央の光軸Ｏ２上にＣＣＤ接続ＦＰＣ６５に実装されたＣＣＤ９６が配され、さらに、ＣＣＤ９６の撮像面側から上方に向けてゴム枠９５ｄ、光学ＬＰＦ９５ｃ、絞り板９５ｂ、押さえ板９５ａを重ねた状態でＣＣＤ枠９１の開口部９１ａ内に挿入する。上記ＣＣＤ枠への挿入状態でＣＣＤ支持板９７は、ＣＣＤ枠９１の下面側にネジ穴９１ｉにビスを螺着して固着される。
【００５０】
撮像ユニット８８のＣＣＤ枠９１とＸスライダ８９とは、図１２に示すようにＹガイド軸９２によりＸ方向に相対移動可能な状態で連結されている。また、Ｘスライダ８９は、前述したように鏡枠本体４に対してＸガイド軸８６によりＹ方向にスライド移動可能に支持されている。従って、ＣＣＤ枠９１は、鏡枠本体４に対してＸＹ平面上を二次元的に変位可能な状態に支持される。
【００５１】
さらに詳しく説明すると、Ｘスライダ８９にはＸ方向に貫通する一対の軸穴８９ａ，８９ｂと、軸穴８９ａ，８９ｂに近い上方位置にＹ方向に貫通する一対の軸穴８９ｃ，８９ｄとが設けられ、軸穴８９ｃの下部にバネ懸架用突起８９ｅが設けられ、軸穴８９ａの側方位置にＵ字状切り欠き部８９ｆが設けられている（図１２）。
【００５２】
ＣＣＤ枠９１には中央開口部９１ａの右側端部にＹ方向に貫通する一対の軸穴９１ｄ，９１ｅと、バネ懸架用突起９１ｇと、軸穴９１ｅの上方位置にＵ字状切り欠き部９１ｆが設けられている。さらに、中央開口部９１ａの左側端部にガイド用突起９１ｃと、バネ懸架用突起９１ｈが設けられている。
【００５３】
ＣＣＤ枠９１とＸスライダ８９とを連結する場合、まず、Ｙガイド軸９２をＸスライダ８９の軸穴８９ｃから挿入し、貫通させ、ＣＣＤ枠９１およびＸスライダ８９の軸穴９１ｄ、軸穴８９ｄ、軸穴９１ｅを交互に貫通させ、軸穴８９ｃ，８９ｄ側に接着固着する。なお、Ｙガイド軸９２の固着状態で該Ｙガイド軸先端部は、ＣＣＤ枠９１の前端面から前方外部に突出している。
【００５４】
また、ＣＣＤ枠９１の突起９１ｇとＸスライダ８９の突起８９ｅには引張バネ９３が懸架される。従って、ＣＣＤ枠９１は、Ｘスライダ８９に対してＹ方向後方に向けて付勢された状態でＹ方向に相対移動可能に支持される。
【００５５】
鏡枠本体４には右下部に後方に向けて突出している突起部４ｆ０に軸穴４ｆと、突起部４ｆ０の光軸Ｏ２寄りの側面部に軸穴４ｇが設けられ、軸穴４ｆと４ｇは、Ｘ方向に沿って位置している（図１３）。また、軸穴４ｆ，４ｇの下方位置からＹ方向前方側に離間した位置の鏡枠本体４の壁面部にＸ方向に沿った長穴４ｋが設けられている。なお、光軸Ｏ２側寄りの側面部の軸穴４ｇは、丸穴ではなく、対向する二組の平行突起で形成されており、Ｘガイド軸８６の圧入および接着固定が確実に行える形状を有している。
【００５６】
また、鏡枠本体４の下面部４ｑの左側にはガイド溝４ｒとバネ懸架用突起４ｓが設けられており、また、ＣＣＤ枠９１の原点位置（光軸Ｏ２に対してＣＣＤ９６の受光面中心が合致した位置）を検出するためのＸ方向センサ６９ｘ，Ｙ方向センサ６９ｙが配されている（図１３）。なお、Ｘ方向センサ６９ｘ，Ｙ方向センサ６９ｙは、鏡枠制御用接続ＦＰＣ６９に実装されている。
【００５７】
ＣＣＤ枠９１に連結されたＸスライダ８９を鏡枠本体４の右下部に組み付ける場合、図１５に示すようにＸスライダ８９の軸穴８９ａと８９ｂの間の隙間に鏡枠本体４の突起部４ｆ０を挿入する。そして、Ｘガイド軸８６をＸスライダ８９の軸穴８９ａから挿入し、突起部４ｆ０の軸穴４ｆを貫通させた後、Ｘガイド軸８６に圧縮バネ８７を挿入する。さらに、Ｘガイド軸８６をＸスライダ８９の軸穴８９ｂを貫通させた後、その先端部を鏡枠本体４の軸穴４ｇに圧入し、接着固定する。この組み付け状態でＸスライダ８９は、鏡枠本体４に対してＸガイド軸８６を介してＸ方向にのみスライド可能で、かつ、圧縮バネ８７により右方向に付勢された状態となる。
【００５８】
一方、Ｘスライダ８９に連結されているＣＣＤ枠９１は、鏡枠本体４の下面部４ｑに当接する状態で左端部のガイド用突起９１ｃを鏡枠本体４のガイド溝４ｒにガタなく嵌入させて取り付け、ＣＣＤ枠９１の下面部に設けられる突起９１ｈと鏡枠本体４の下面部に設けられる突起４ｓとの間に引張バネ９４を懸架する（図１１）。従って、ＣＣＤ枠９１は、前述したように引張バネ９３の付勢力によってＸスライダ８９に対してＹ方向後方に付勢された状態のもとで、かつ、二つの引張バネ９３，９４の付勢力により光軸Ｏ２まわりの時計回り（上方側からみて）の付勢力を受ける。この付勢力によってＹガイド軸９２に対するＣＣＤ枠９１のガタが除かれる。
【００５９】
また、前述したようにＣＣＤ枠９１の前端面から突出しているＹガイド軸９２のＹ方向先端部は、鏡枠本体４の長穴４ｋにガタなく摺動可能に嵌入させる（図１０，１１）。
【００６０】
上述したＣＣＤ枠９１およびＸスライダ８９からなる撮像ユニット８８の鏡枠本体４への組み付け状態では、Ｘスライダ８９は、鏡枠本体４に対してＸガイド軸８６によりＸ方向にガイドされ、圧縮バネにより左方向の付勢力を受けた状態で支持されており、Ｕ字状切り欠き８９ｆを後述するＸ送り用ナット７６で押圧することにより鏡枠本体４に対してＸ方向に変位可能である。一方、ＣＣＤ枠９１は、Ｘ方向にはＸスライダ８９とともに変位可能な状態のもとで、Ｙ方向にＹガイド軸９２によってガイドされ、引張バネ９３による後方への付勢力を受けた状態のもとでＵ字状切り欠き９１ｆが後述するＹ送り用ナット８４を介して押圧されることにより鏡枠本体４に対してＹ方向にも変位可能である。結果的にＣＣＤ枠９１は、鏡枠本体４に対して光軸Ｏ２に直交するＸＹ平面上を二次元的に変位可能である。
【００６１】
そして、上述したＸスライダ８９の支持状態にあっては、Ｘスライダ８９の軸穴８９ｃ，８９ｄに嵌入固定されるＹガイド軸９２の先端部が鏡枠本体４の長穴４ｋに支持されていることから、Ｘスライダ８９のＸガイド軸８６まわりの回転が規制される。また、ＣＣＤ枠９１についてもＸスライダ８９の回転を規制するＹガイド軸９２がＣＣＤ枠９１の右端側の軸穴９１ｄ，９１ｅを貫通しており、さらに、ＣＣＤ枠９１の左側端部の突起９１ｃが鏡枠本体４のガイド溝４ｒに嵌入していることからＣＣＤ枠９１は、三点支持状態になり、ＸＹ平面に沿った規制状態で支持される。また、ＣＣＤ枠９１の左側が引張バネ９３によりＹ方向後方に向けて付勢され、右側が引張バネ９４によりＹ方向前方に向けて付勢されることから、ＣＣＤ枠９１は、光軸Ｏ２の時計回り（上側からみて）に回動付勢され、Ｙガイド軸９２に対する嵌合ガタ詰めがなされる。従って、ＣＣＤ枠９１の鏡枠本体におけるＸＹ平面上の回転ガタがなくなる。
【００６２】
Ｘスライダ８９およびＣＣＤ枠９１を駆動するＣＣＤ枠駆動部７１は、前述したように撮像ユニット８８をＸ方向、または、Ｙ方向に変位駆動するＸ駆動機構部とＹ駆動機構部とからなる。
【００６３】
上記Ｘ，Ｙ駆動機構部が組み込まれる鏡枠本体４の右下部には、モータ取り付けビス用ネジ穴４ｅ，４ｊと、送リネジ軸用軸穴４ｈ，４ｍと、Ｘ方向に沿ったナット回転止め溝部４ｉと、Ｙ方向に沿ったナット回転止め溝部４ｎとが設けられている。そして、鏡枠本体４の右端面部には、送リネジ軸用軸穴７７ａが設けられるギヤ押さえ板７７がビスにより固着され、また、鏡枠本体４の右下前面部には、送リネジ軸用軸穴８５ａが設けられるギヤ押さえ板８５がビスにより固着されている（図１３，１４）。
【００６４】
上記Ｘ駆動機構部は、ステッピングモータからなるピニオン７３付きのＸ駆動モータ７２と、ギヤ７４が先端部に固定されるＸ送リネジ軸７５と、Ｘ送り用ナット７６とからなる（図１４，１５）。
【００６５】
上記Ｙ駆動機構部は、ステッピングモータからなるピニオンギヤ８１付きのＹ駆動モータ７９と、ギヤ８２が先端部に固定されるＹ送リネジ軸８３と、Ｙ送り用ナット８４とからなる（図１６）。
【００６６】
上記Ｘ駆動機構部においては、Ｘ駆動モータ７２は、出力軸をＸ方向に沿った状態としてモータ取り付けビス用ネジ穴４ｅにビス止めして鏡枠本体４に装着される。Ｘ送リネジ軸７５は、ギヤ７４をピニオン７３に噛合させ、かつ、ナット７６を螺合させた状態で軸穴７７ａ、４ｈに嵌合させ、Ｘ方向に沿い、回転可能な状態で取り付けられる。
【００６７】
上記組み付け状態のＸ送リネジ軸７５は、Ｘスライダ８９のＵ字状切り欠き８９ｆを挿通し、ナット７６は、ナットの回転止め突起部７６ｉを鏡枠本体４のナット回転止め溝４ｉにスライド可能に係合し、Ｘスライダ８９のＵ字状切り欠き８９ｆの内側面に圧縮バネ８７で付勢された状態で当接している。
【００６８】
上記Ｙ駆動機構部においては、Ｙ駆動モータ７９は、出力軸をＹ方向に沿った状態としてモータ取り付けビス用ネジ穴４ｊにビス止めして鏡枠本体４に装着される。Ｙ送リネジ軸８３は、ギヤ８２をピニオン８１に噛合させ、かつ、ナット８４を螺合させ状態で軸穴８５ｂ、４ｍに嵌合させ、Ｙ方向に沿い、回転可能な状態で取り付けられる。
【００６９】
上記組み付け状態のＹ送リネジ軸８３は、ＣＣＤ枠９１のＵ字状切り欠き９１ｆを挿通し、ナット８４は、ナットの回転止め突起部８４ｎを鏡枠本体４のナット回転止め溝４ｎにスライド可能に係合させた状態でＣＣＤ枠９１のＵ字状切り欠き９１ｆの後面に引張バネ９３で付勢された状態で当接している。
【００７０】
上述のように撮像ユニット８８およびＣＣＤ枠駆動部７１が組み込まれた鏡枠ユニット２０において、Ｘ駆動モータ７２が回転駆動された場合、Ｘスライダ８９がＸ方向に変位し、ＣＣＤ枠９１も一体的にＸ方向に変位する。また、Ｙ駆動モータ７９が回転駆動された場合、ＣＣＤ枠９１がＹ方向に変位する。結果的にはＸ駆動モータ７２およびＹ駆動モータ７９の回転駆動制御によって、ＣＣＤ枠９１が光軸Ｏ２と直交するＸＹ平面上を二次元的に変位し、手ブレ補正が可能となる。
【００７１】
ここで、上述した鏡枠ユニット２０におけるＣＣＤ接続ＦＰＣ６５の屈曲構造について、図１７，１８を用いて説明する。
【００７２】
図１７は、図６の断面図のうち、下方側のＣＤＤまわりを拡大して示した断面図である。図１８は、図５のXVIII−XVIII断面図であって、ＣＣＤ接続フレキシブル基板の屈曲部まわりを示す図である。
【００７３】
図１７，１８に示すようにＣＣＤ接続ＦＰＣ６５は、撮像ユニット８８を構成するＣＣＤ枠９１の底面部にてＣＣＤ枠９１に固着されるフレキ押さえ板９８によりガイドされ、ＣＣＤ枠９１の側面から光軸Ｏ２に沿ったＺ方向上向きの第一の延出部であるＺ方向延出部６５ａとして延出する。このＺ方向延出部６５ａは、ガイド部材であるＦＰＣガイド板６６と鏡枠本体４の背面部と間に存在する隙間Ｃａを通り、鏡枠本体４の背面部にビス止めされたＦＰＣガイド板６６と鏡枠制御用接続ＦＰＣ６９を押さえるためのＦＰＣ押さえ板６８との間の隙間ＣｂをＺ方向に挿通後、光軸Ｏ２に直交するＸ方向の第二の延出部であるＸ方向延出部６５ｂとして延出し、鏡枠本体４の左側面（図１８では下側）に向けて導出される。
【００７４】
上記Ｘ方向延出部６５ｂは、鏡枠本体４の左側稜部（図１８では下側）にて直角に前方に向けて折り曲げられる。この直角折り曲げ部６５ｃから前面側に折り曲げ方向に所定距離離れた部位６５ｄを両面接着テープ６７により鏡枠本体４の側面部位４ｚに固定する。このテープ接着部６５ｄを経た後、ＣＣＤ接続ＦＰＣ６５の先端部に形成されるコネクタ部６５ｅは、カメラ制御基板１８に接続される。
【００７５】
なお、ＦＰＣガイド板６６は、突起部６６ａ、６６ｂ、押さえ突起部６６ｃを備えており、鏡枠本体４の背面部にビスにより固着されている。突起部６６ａがギヤ押さえ板８５に当接し、突起部６６ｂが鏡枠本体４の背面部に当接してＦＰＣガイド板６６のＦＰＣ押さえ板６８に対する隙間Ｃｂを確保している（図１７）。また、押さえ突起部６６ｃは、鏡枠制御用接続ＦＰＣ６９を押さえている。
【００７６】
上述のようにＣＣＤ枠９１下部から導出されるＣＣＤ接続ＦＰＣ６５は、Ｚ方向導出部６６ａからテープ接着部６５ｄまでの間でＹ方向、および、Ｘ方向に撓むことにより、ブレ補正動作時におけるＣＣＤ枠９１の鏡枠本体４に対するＸＹ平面上の二次元的変位を妨げることがない。
【００７７】
すなわち、ＣＣＤ枠９１の二次元変位時におけるＹ方向の移動成分に対しては、Ｚ方向延出部６６ａがＦＰＣガイド板６６と鏡枠本体４の背面との隙間ＣａでＹ方向に撓むことでＦＰＣによる抵抗力を受けることなく、上記ＣＣＤ枠９１の変位を許容する。
【００７８】
また、ＣＣＤ枠９１のＸ方向の移動成分に対しては、Ｚ方向導出部６６ａがＦＰＣガイド板６６とＦＰＣ押さえ板６８との隙間Ｃｂの中をＸ方向に移動し、かつ、直角折り曲げ部６５ｃのＹ方向側がＸ方向に屈曲すること（図１８の破線で示される変形による）でＦＰＣによる抵抗力を受けることなく、上記ＣＣＤ枠９１の変位を許容し、結果的にＣＣＤ枠９１の二次元変位が抵抗無く行われるする。
【００７９】
上述したように本実施形態のデジタルカメラ１によれば、ＣＣＤ接続ＦＰＣ６５に上述した屈曲構造を適用したので手ブレ補正動作時における撮像ユニット８８、即ち、ＣＣＤ枠９１のＸＹ平面上のスムーズな変位がＣＣＤ接続ＦＰＣ６５の上述した撓み動作により得られる。
【００８０】
そして、上述のようにＣＣＤ接続ＦＰＣ６５の屈曲構造では、図１９，２０に示した従来の撮像装置のようにＦＰＣの折り返し部を設ける必要がなく、大きいスペースが不要であり、鏡枠ユニット配置の省スペース化、ひいては、撮像装置の小型化が実現できる。
【００８１】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００８２】
上述のように本発明の撮像装置は、二次元的に可動である撮像素子を備えた撮像装置において、撮像素子接続用ＦＰＣの導出部の占有スペースが少なく、装置のコンパクト化が可能である撮像装置として利用可能である。
【符号の説明】
【００８３】
２０  …鏡枠ユニット
４  …鏡枠本体（鏡枠）
６５  …ＣＣＤ接続ＦＰＣ
（撮像素子が実装されるフレキシブルプリント基板）
６５ａ…Ｚ方向延出部（第一の延出部）
６５ｂ…Ｘ方向延出部（第二の延出部）
６５ｃ…直角折り曲げ部（折り曲げ部）
６５ｄ…折り曲げ方向に所定距離延出した部位
６６  …ＦＰＣガイド板（ガイド部材）
８８  …撮像ユニット（移動ユニット）
９１  …ＣＣＤ枠（撮像素子支持枠部材）
Ｘ  …第一の方向
Ｙ  …第二の方向
【先行技術文献】
【特許文献】
【００８４】
【特許文献１】特開２００８−０４８２２０号公報
【図１】
2010177964.tif 000003
【図２】
2010177964.tif 000004
【図３】
2010177964.tif 000005
【図４】
2010177964.tif 000006
【図５】
2010177964.tif 000007
【図６】
2010177964.tif 000008
【図７】
2010177964.tif 000009
【図８】
2010177964.tif 000010
【図９】
2010177964.tif 000011
【図１０】
2010177964.tif 000012
【図１１】
2010177964.tif 000013
【図１２】
2010177964.tif 000014
【図１３】
2010177964.tif 000015
【図１４】
2010177964.tif 000016
【図１５】
2010177964.tif 000017
【図１６】
2010177964.tif 000018
【図１７】
2010177964.tif 000019
【図１８】
2010177964.tif 000020
【図１９】
2010177964.tif 000021
【図２０】
2010177964.tif 000022